(57)【特許請求の範囲】
【請求項１】
景品を吊り上げる天井走行クレーンの景品吊上装置（３）が、
開閉爪装置（３５）と、
天井を水平二軸方向に走行し得るキャリッジ（２１）の下部に設けられる少なくとも二本の鉛直な案内部材（３１０１、３１０１、３１０１、４１０１、４１０１、５１０１、５１０１）を具備する案内部（３１０、４１０、５１０）と、案内部材（３１０１、３１０１、３１０１、４１０１、４１０１、５１０１、５１０１）と平行に配され、下端側に開閉爪装置（３５）が取り付けられるスライド部材（３１１１、３１１１、３１１１、４１１、４１１、５１１０、５１１０）を具備するスライド部（３１１、４１１、５１１）と、
案内部（３１０、４１０、５１０）の案内部材（３１０１、３１０１、３１０１、４１０１、４１０１、５１０１、５１０１）に沿って昇降自在に設けられ、かつ、スライド部（３１１、４１１、５１１）のスライド部材（３１１１、３１１１、３１１１、４１１、４１１、５１１０、５１１０）を昇降自在に支持して、案内部材（３１０１、３１０１、３１０１、４１０１、４１０１、５１０１、５１０１）とスライド部材（３１１１、３１１１、３１１１、４１１、４１１、５１１０、５１１０）を接続する中間案内部（３１２、４１２、５１２）と、
鉛直方向に設けられ、開閉爪装置（３５）を懸垂して昇降させるワイヤ（３２）と、
そのワイヤ（３２）を巻き上げ及び巻き戻すワイヤドラム（３３）と、
そのワイヤドラム（３３）を回転駆動する装置（３４）と、
から成るクレーンゲーム機（１）。
【請求項２】
案内部（３１０）が、
ワイヤ（３２）の懸垂通路を取り囲むよう水平に配される上部環状部材（３１００）と、
上端が上部環状部材（３１００）に抜け落ちないよう支持され、かつ、ワイヤの懸垂通路を中心軸として回転対称に設けられる軸状の案内部材（３１０１、３１０１、３１０１）と、
から成り、
スライド部（３１１）が、
上部環状部材（３１００）の下方に、ワイヤ（３２）の懸垂通路を取り囲むよう水平に配され、下面側に開閉爪装置（３５）が取り付けられる下部環状部材（３１１０）と、
下端が下部環状部材（３１１０）を脱落しないよう支持し、ワイヤ（３２）の懸垂通路を中心軸として回転対称に設けられる軸状のスライド部材（３１１１、３１１１、３１１１）と、
から成り、
中間案内部（３１２）が、
案内部材（３１０１、３１０１、３１０１）の下端に、ワイヤ（３２）の懸垂通路を取り囲むよう水平に設けられる上段中間環状部材（３１２０）と、
スライド部材（３１１１、３１１１、３１１１）の上端に、ワイヤ（３２）の懸垂通路を取り囲むよう水平に設けられる下段中間環状部材（３１２２）と、
上端が上段中間環状部材（３１２０）に抜け落ちないよう支持され、下端が下段中間環状部材（３１２２）を脱落しないよう支持するシャフト（３１２３、３１２３、３１２３、３１２４、３１２４、３１２４）と、
から成る請求項１に記載のクレーンゲーム機。
【請求項３】
スライド部材（３１１１、３１１１、３１１１）の下端が下部環状部材（３１１０）に取り付けられる請求項２に記載のクレーンゲーム機。
【請求項４】
シャフト（３１２３、３１２３、３１２３、３１２４、３１２４、３１２４）の上端が上段中間環状部材（３１２０）に、また、スライド部材（３１１１）の上端が下段中間環状部材（３１２２）に取り付けられる請求項２に記載のクレーンゲーム機。
【請求項５】
シャフト（３１２３、３１２３、３１２３、３１２４、３１２４、３１２４）を少なくとも上下二段階に分割し、上段側のシャフト（３１２３、３１２３、３１２３）と下段側のシャフト（３１２４、３１２４、３１２４）とを接続中間環状部材（３１２１）によって昇降自在に接続して成る請求項２ないし４のいずれか一に記載のクレーンゲーム機。
【請求項６】
案内部材（４１０１、４１０１）が、互いに脚部が向き合うよう配される一対の断面コの字型のレール部材であり、
スライド部材（４１１）が断面四角形のパイプであり、
中間案内部（４１２）が、
一対の案内部材（４１０１、４１０１）の間で所定間隙を介して対面するよう配される一対のプレート（４１２０、４１２０）と、
一対のプレート（４１２０、４１２０）と案内部材（４１０１、４１０１）との間に、それぞれ案内部材（４１０１、４１０１）の内部に入り込むよう設けられ、プレート（４１２０、４１２０）を案内部材（４１０１、４１０１）に沿って昇降自在に支持する一対の第一ボールスライド（４１２１、４１２１）と、
互いに脚部が向き合うように脚部の外面がプレート（４１２０、４１２０）の対向面に取り付けられ、かつ、両者の間にスライド部材（４１１）が配される一対の断面コの字型の長尺のレール（４１２２、４１２２）と、
一対のレール（４１２２、４１２２）とスライド部材（４１１）との間に、それぞれレール（４１２２、４１２２）の内部に入り込むよう設けられ、スライド部材（４１１）をレール（４１２２、４１２２）に沿って昇降自在に支持する一対の第二ボールスライド（４１２３、４１２３）と、
から成る請求項１に記載のクレーンゲーム機。
【請求項７】
案内部材（５１０１、５１０１）が、所定間隙を介して対面する一対の板状の長尺部材であって、
スライド部材（５１１０、５１１０）が、案内部材（５１０１、５１０１）の間で所定間隙を介して対面して昇降し得る一対の板状の長尺部材であって、
中間案内部（５１２）が、
一対の案内部材（５１０１、５１０１）の内側面に近接し、かつ、案内部材（５１０１、５１０１）に沿って昇降自在に支持される一対の上段プレート（５１２０、５１２０）と、
一対の上段プレート（５１２０、５１２０）の内側面に近接し、かつ、上段プレート（５１２０、５１２０）に沿って昇降自在に支持され、スライド部材（５１１０、５１１０）を昇降自在に支持する一対の下段プレート（５１２２、５１２２）と、
から成る請求項１に記載のクレーンゲーム機。
【請求項８】
案内部材（５１０１、５１０１）が、その鉛直方向に沿ってそれぞれ中空部と、その対向面に中空部に通じる少なくとも一条の鉛直な切り欠きとを有し、
スライド部材（５１１０、５１１０）が、それぞれの対向面の上縁側に、対向面に脚部が接合された水平断面略Ｔ字型の下段スライドブロック（５１１１、５１１１）を有し、
上段プレート（５１２０、５１２０）が、その外側面に、案内部材（５１０１、５１０１）の切り欠きからその中空部内に入って、上段プレート（５１２０、５１２０）を案内部材（５１０１、５１０１）に沿って昇降自在に案内する上段スライドブロック（５１２１、５１２１）と、内側面中央にスライド部材（５１１０、５１１０）を案内し得る鉛直な溝部とを有すると共に、その溝部の両側に中空部と、それぞれその中空部に通じる切り欠きとを有し、
下段プレート（５１２３、５１２３）が、それぞれその外側面の両側に、上段プレート（５１２０、５１２０）の切り欠きからその中空部内に入って、下段プレート（５１２３、５１２３）を上段プレート（５１２０、５１２０）に沿って昇降自在に案内する中段スライドブロック（５１２４、５１２４）を有すると共に、その中央に、スライド部材（５１１０、５１１０）の下段スライドブロック（５１１１、５１１１）を通すためのスリット（５１２３ａ、５１２３ａ）を有する請求項７に記載のクレーンゲーム機。
【発明の詳細な説明】
【０００１】
【発明の属する技術分野】
本発明は、クレーンゲーム機、特に、伸縮パイプを使用しない景品吊上装置を具備するクレーンゲーム機に関する。
【０００２】
【従来の技術】
従来公知のクレーンゲーム機の景品吊上装置は、開閉爪装置を単にワイヤで吊り下げるだけのものであったため、開閉爪装置が昇降する際、それが揺動し、そのためプレーヤーの思い通りに景品が掴めなくなるという問題があった。
この問題を解決するため、例えば、実公平７−１３９５６号に開示された景品吊上装置がある。
【０００３】
この景品吊上装置は、開閉爪装置を入れ子式の伸縮パイプを介して吊り下げるものであるが、このような伸縮パイプは、直径の異なる数種類のパイプを組み合わせるものであるため、高精度にパイプを製造しなければならず、製造コストが嵩むという問題があった。
【０００４】
また、外パイプの内部で内パイプがスライドするものなので、スライド時の両者の接触面積が広く、滑らかに伸縮させるためには、両者の間に潤滑油を差す必要があり、さらに、内パイプの外面に付着している潤滑油に埃が堆積すると外見が極めて悪くなるので、潤滑油を差すときなどに内パイプ外面を清掃する必要がある。
このため、この種の景品吊上装置においては、定期的なメンテナンスが必要であり、運用コストが嵩むという問題があった。
【０００５】
また、このようなメンテナンスを怠ると、内パイプの外面に多数の傷が付いて外見が悪くなり、さらには、滑らかに伸縮しなくなり、修理が必要になるという問題があった。
さらに、伸縮パイプは、運送や景品の入替時のちょっとした衝撃でも変形し、円滑に伸縮しなくなるという問題があった。
【０００６】
【発明が解決しようとする課題】
本発明は上記の問題を解決するためなされたものであり、その目的とするところは、故障し難く、低コストで提供できる景品吊上装置を具備するクレーンゲーム機を提供することにある。
【０００７】
【課題を解決するための手段】
上記の目的は、天井を水平二軸方向に走行し得るキャリッジから開閉爪装置を吊り下げる際、キャリッジの下部に設けられる、少なくとも二本の鉛直な案内部材を具備する案内部と、下端に開閉爪装置が取り付けられるスライド部材を具備するスライド部と、案内部材とスライド部材を昇降自在に接続する中間案内部とを具備する装置を用い、開閉爪装置の昇降に追従して、その装置が伸縮するようにすることによって達成される。
【０００８】
【発明の実施の形態】
以下、図面により本発明の詳細を説明する。
図１は本発明に係るクレーンゲーム機の第一実施例を示す正面図、図２は図１に示した景品吊上装置の構成を示す正面図、図３は図２に示した伸縮機構の降下状態を示す斜視図、図４は本発明に係るクレーンゲーム機の第二実施例の伸縮機構を示す正面図、図５は図４に示した伸縮機構の降下状態を示す正面図、図６は図５のＡ−Ａ線断面図、図７は本発明に係るクレーンゲーム機の第三実施例の伸縮機構を示す正面図、図８は図７に示した伸縮機構の降下状態を示す正面図、図９は図８のＢ−Ｂ線断面図、図１０は図８に示した伸縮機構のＣ−Ｃ線断面図である。
【０００９】
まず、図１ないし図４に基づき第一実施例について説明する。
図中、１はクレーンゲーム機、２は水平移動装置、３は景品吊上装置である。このクレーンゲーム機１は、図１に示したように、上半分にゲーム領域を具備し、正面の操作パネル１０上のボタンを操作してゲーム領域に置かれている景品を吊り上げてプレイするものである。
水平移動装置２は、Ｙ軸レール２０と、キャリッジ２１と、図示しないＸ軸レール及び駆動機構とから成る。
【００１０】
図示しないＸ軸レールは、ゲーム領域の上部の前部及び後部にそれぞれ左右方向に水平に固定されている。
Ｙ軸レール２０は、上記Ｘ軸レールに、両Ｘ軸レールを結ぶ前後方向に配される二本の平行な円筒管であって、Ｘ軸レールに沿って前後に平行移動自在に支持され、図示しない駆動装置によって前後に平行移動制御される。
キャリッジ２１は箱状であり、二本のＹ軸レール２０に沿って移動自在に設けられ、図示しない駆動装置によって移動せしめられる。
【００１１】
景品吊上装置３はキャリッジ２１の下面に設けられ、ブラケット３０と、伸縮機構３１と、ワイヤ３２と、ワイヤドラム３３と、駆動装置３４と、開閉爪装置３５とから成る。
ブラケット３０は断面コの字型の金具であり、一方の脚がキャリッジ２１の下面と接するようにキャリッジ２１に固定され、他の一方の脚には伸縮機構３１が取り付けられ、その両脚の間にはワイヤドラム３３と、駆動装置３４とが設けられる。
【００１２】
伸縮機構３１は、案内部３１０と、スライド部３１１と、中間案内部３１２とから成る。
案内部３１０は、上部環状部材３１００と、案内部材３１０１、３１０１、３１０１とから成る。
上部環状部材３１００は、上下にフランジ３１００ａを有する短円筒管であり、後述のワイヤ３２の懸垂通路を取り囲むように、上側のフランジがブラケット３０の下面に取り付けられる。
下側のフランジ３１００ａは、その周縁に沿って等間隔に三個の子孔を有しており、この子孔からそれぞれ一本ずつ案内部材３１０１が垂下される。
この案内部材３１０１、３１０１、３１０１は上端に算盤の玉状の頭を有する軸状の部材であって、その膨らみがフランジ３１００ａに引っ掛かって抜け落ちないようになっている。
【００１３】
スライド部３１１は、下部環状部材３１１０と、スライド部材３１１１、３１１１、３１１１とから成る。
下部環状部材３１１０は、回転対称に十二個の子孔を有する、上部環状部材３１００のフランジ３１００ａと略同形の平板円環部材であり、上部環状部材３１００の下方にそれと同軸に水平に配される。
スライド部材３１１１、３１１１、３１１１は、案内部材３１０１、３１０１、３１０１と同様の三本の軸状の部材であり、ワイヤの懸垂通路を中心軸として回転対称に、かつ、案内部材３１０１、３１０１、３１０１と平行に設けられるものであり、中央部分に後述の下段中間環状部材３１２２を保持した状態で、その下端が下部環状部材３１１０の所定の子孔に取り付けられる。
【００１４】
中間案内部３１２は、上段中間環状部材３１２０と、接続中間環状部材３１２１と、下段中間環状部材３１２２と、上段シャフト３１２３、３１２３、３１２３と、下段シャフト３１２４、３１２４、３１２４とから成る。
上段中間環状部材３１２０、接続中間環状部材３１２１及び下段中間環状部材３１２２は、下部環状部材３１１０と同形の平板円環部材であって、順次、上部環状部材３１００と下部環状部材３１１０との間に水平に配されるものである。上段シャフト３１２３、３１２３、３１２３及び下段シャフト３１２４、３１２４、３１２４は、案内部材３１０１、３１０１、３１０１と同様のものであり、上段シャフト３１２３、３１２３、３１２３は上段中間環状部材３１２０と接続中間環状部材３１２１との間に、また、下段シャフト３１２４、３１２４、３１２４は接続中間部材３１２１と下段中間環状部材３１２２との間に、それぞれ三本ずつ、それらの子孔に挿通して設けられる。
【００１５】
上段中間環状部材３１２０は、案内部材３１０１、３１０１、３１０１の下端側から、その子孔に案内部材３１０１、３１０１、３１０１を挿通させて嵌められるものであり、案内部材３１０１、３１０１、３１０１の下端に取り付けられる図示しないストッパによって、案内部材３１０１、３１０１、３１０１から脱落しないよう支持される。
上段シャフト３１２３、３１２３、３１２３は、上段中間環状部材３１２０の塞がっていない回転対称な位置の孔に上から通される。
接続中間環状部材３１２１は、上述の上段中間環状部材３１２０を案内部材３１０１に取り付けたときと同様にして上段シャフト３１２３、３１２３、３１２３に取り付けられる。
【００１６】
下段シャフト３１２４、３１２４、３１２４は、接続中間環状部材３１２１に、案内部材３１０１、３１０１、３１０１及び上段シャフト３１２３、３１２３、３１２３と重ならないよう、上述の上段シャフト３１２３、３１２３、３１２３と同様にして取り付けられる。
下段中間環状部材３１２２は、上述の上段中間環状部材３１２０を案内部材３１０１、３１０１、３１０１に取り付けたときと同様にして下段シャフト３１２４、３１２４、３１２４に取り付けられる。
【００１７】
この下段中間環状部材３１２２には、スライド部３１１のスライド部材３１１１、３１１１、３１１１が、案内部材３１０１、３１０１、３１０１、上段シャフト３１２３、３１２３、３１２３及び下段シャフト３１２４、３１２４、３１２４と重ならないよう、上述の下段シャフト３１２４、３１２４、３１２４と同様にして取り付けられる。
なお、上段中間環状部材３１２０、接続中間環状部材３１２１、下段中間環状部材３１２２及びスライド部３１１の下部環状部材３１１０に設けられた子孔のうち、各シャフト等で塞がれていない孔は、それらの頭やストッパを挿通し得る程度の大きさとし、短縮時に各シャフト等がそれらの子孔を挿通するようにする。
【００１８】
開閉爪装置３５は、伸縮機構３１の下部環状部材３１１０の下面に設けられる。
ワイヤドラム３３は、ブラケット３０の上側の脚に設けた支持装置により回動自在に支持されており、それから引き出されたワイヤ３２は、下側の一方の脚に設けられた挿通孔を通して、伸縮機構３１の中央に垂下され、その下端が開閉爪装置３５に接合される。
駆動装置３４は、モーター３４０、歯車３４１及び３４２などから成り、ワイヤドラム３３を回転駆動するものであり、これにより、ワイヤ３２を巻き上げ及び巻き戻し、開閉爪装置３５を昇降制御する。
【００１９】
このクレーンゲーム機１において、伸縮機構３１は、開閉爪装置３５が上昇位置にあるときは、図２に示したように収縮して上段中間環状部材３１２０、接続中間環状部材３１２１、下段中間環状部材３１２２及びスライド部３１１の下部環状部材３１１０が重なり、下降するに従って徐々に伸長し、図３に示したようになるものである。
【００２０】
なお、上記の第一実施例においては、中間案内部３１２を二段階に伸縮するようにしたが、上段中間環状部材３１２０と下段中間環状部材３１２２とを直接三本のシャフトで接続するようにしても、また、三段階以上に伸縮するようにしてもよい。
また、シャフト等の数も一段階に二本以下又は四本以上でもよい。
また、この第一実施例では、案内部材及びシャフトの下端に環状部材が脱落しないようストッパを取り付けたが、下端を直接環状部材に取り付けてもよい。
【００２１】
また、開閉爪装置３５の上昇時に、上段中間環状部材３１２０、接続中間環状部材３１２１及び下段中間環状部材３１２２が、スライド部３１１の下部環状部材３１１０上で重なるようにしたが、シャフト等の一端を適宜の環状部材に直接取り付けて、それらが案内部３１０の上部環状部材３１００の下部で重なるようにしても、また、上下に分散して重なるようにしてもよく、どのシャフト等をどの環状部材に取り付けるかは、伸縮機構の動作に支障のない範囲で適宜選択できるものである。
【００２２】
次に、図４ないし図６に基づき第二実施例について説明する。
まず、図４について説明する。
このクレーンゲーム装置は、景品吊上装置の伸縮機構４１以外の構成は第一実施例のものと共通であるので、共通部分に関する説明は省略する。
この伸縮機構４１は、図５に示したように、案内部４１０、スライド部４１１、中間案内部４１２とから成る。
【００２３】
案内部４１０は、取付具４１００と、案内部材４１０１、４１０１とから成る。
案内部材４１０１、４１０１は、図６に示したように、断面コの字型の一対のレール部材であり、所定距離を介して互いに脚部が向き合うよう取付具４１００、４１００によってブラケット３０の下面に取り付けられる。
スライド部４１１は、断面四角形のパイプであり、その下端に開閉爪装置３５が取り付けられる。
【００２４】
中間案内部４１２は、一対のプレート４１２０、４１２０と、第一ボールスライド４１２１、４１２１と、レール４１２２、４１２２と、第二ボールスライド４１２３、４１２３とから成る。
プレート４１２０、４１２０は、一対の案内部材４１０１、４１０１の間で所定間隙を介して対面するよう配される。
第一ボールスライド４１２１、４１２１は、一対のプレート４１２０、４１２０と案内部材４１０１、４１０１との間に、それぞれ案内部材４１０１、４１０１の内部に入り込むよう設けられ、プレート４１２０、４１２０を案内部材４１０１、４１０１に沿って所定範囲を昇降自在に支持する。
【００２５】
レール４１２２、４１２２は、断面コの字型のレールであり、プレート４１２０、４１２０の間で所定距離を介して互いに脚部が向き合い、かつ、その脚部の外面がプレート４１２０、４１２０の対向面に固定される。
このプレート４１２０、４１２０とレール４１２２、４１２２に囲まれた領域には、下方からスライド部４１１が挿入される。
第二ボールスライド４１２３、４１２３は、一対のレール４１２２、４１２２とスライド部４１１との間に、それぞれレール４１２２、４１２２の内部に入り込むよう設けられ、スライド部４１１をレール４１２２、４１２２に沿って所定範囲を昇降自在に支持する。
【００２６】
このクレーンゲーム機において、開閉爪装置３５が下降すると、中間案内部４１２は、案内部材４１０１、４１０１に沿って下方にスライドすると共に、その中間案内部４１２の内部に支持されているスライド部４１１も、下方にスライドし、伸縮機構４１は図５に示したように伸長するものである。
【００２７】
次に、図７ないし図１０に基づき第三実施例について説明する。
まず、図７について説明する。
このクレーンゲーム装置は、景品吊上装置の伸縮機構５１以外の構成は第一実施例のものと共通であるので、共通部分に関する説明は省略する。
この伸縮機構５１は、図８に示したように、案内部５１０、スライド部５１１、中間案内部５１２とから成る。
【００２８】
案内部５１０は、取付具５１００、５１００と、取付具５１００、５１００によってブラケット３０の下面に取り付けられる案内部材５１０１、５１０１と、固定レール５１０２、５１０２とから成る。
案内部材５１０１、５１０１は、図９に示したように、所定距離を介して互いに脚部が向き合うよう配される一対の断面コの部材である。
なお、この図９においては、後述の取付具５１１２は省略してある。
【００２９】
固定レール５１０２、５１０２は、案内部材５１０１、５１０１の内側面中央縦方向に設けられる。
この固定レール５１０２、５１０２は、帯状金属板を断面コの字状に成形した後、その両対向部をその中程から外側に折り曲げて成るものであり、中央の突出部分が案内部材５１０１、５１０１に接合される。
スライド部５１１は、スライド部材５１１０、５１１０と、下段スライドブロック５１１１、５１１１と、取付具５１１２とから成る。
スライド部材５１１０、５１１０は、案内部材５１０１、５１０１の間で所定間隙を介して対向する一対の細めの長尺部材である。
【００３０】
下段スライドブロック５１１１、５１１１は水平断面略Ｔ字型の部材であって、後述の中間案内部５１２内に挿入したスライド部材５１１０、５１１０の対向面の上縁側に、中間案内部５１２の内側に突出するようその脚部端縁が接合されるものである。
取付具５１１２は断面コの字型の部材であって、その脚部が上方を向くよう、スライド部材５１１０、５１１０の対向面の下縁側にその外側面が接合されるものであり、この取付具５１１２の下面に、開閉爪装置３５が取り付けられる。
中間案内部５１２は、上段プレート５１２０、５１２０と、上段スライドブロック５１２１、５１２１、５１２１、５１２１と、昇降レール５１２２、５１２２と、下段プレート５１２３、５１２３と、中段スライドブロック５１２４、５１２４、５１２４、５１２４とから成る。
【００３１】
上段プレート５１２０、５１２０は、一対の案内部材５１０１、５１０１の内側面に近接して配されるものである。
上段スライドブロック５１２１、５１２１、５１２１、５１２１は断面略Ｌ字型の部材であって、上段ブレート５１２０、５１２０の外側面の両側縁に沿って、それぞれその一側端部が案内部材５１０１、５１０１と、固定レール５１０２、５１０２の両側縁部との間に入り、固定レール５１０２、５１０２を両側から挟むよう設けられる。
【００３２】
昇降レール５１２２、５１２２は、固定レール５１０２、５１０２と同様のものであって、上段プレート５１２０、５１２０の内側面中央に固定レール５１０２、５１０２と同様に設けられる。
下段プレート５１２３、５１２３は、案内部材５１０１、５１０１と略同様の一対の部材であって、一対の上段プレート５１２０、５１２０の内側に、その脚部が外側を向くよう配される。
この下段プレート５１２３、５１２３の中央縦方向には、図１０に示したように、下段スライドブロック５１１１、５１１１の脚部が通る程度の幅を有するスリット５１２３ａ、５１２３ａが設けられる。
【００３３】
中段スライドブロック５１２４、５１２４、５１２４、５１２４は、上段スライドブロック５１２１、５１２１、５１２１、５１２１と同様のものであって、下段プレート５１２３、５１２３の下段プレート５１２０、５１２０側の両側に上段スライドブロック５１２１、５１２１、５１２１、５１２１と同様に設けられる。
この中間案内部５２１の、昇降レール５１２２、５１２２と下段プレート５１２３、５１２３の間には、スライド部材５１１０、５１１０が挿入され、このスライド部材５１１０、５１１０には、中間案内部５２１の内側からスリット５１２３ａ、５１２３ａを通して下段スライドブロック５１１１、５１１１が固定される。
【００３４】
このクレーンゲーム機において、開閉爪装置３５が下降すると、上段プレート５１２０、５１２０は、案内部材５１０１、５１０１に沿って、また、下段プレート５１２３、５１２３は、上段プレート５１２０、５１２０に沿って下方にスライドし、さらに、スライド部材５１１０、５１１０がスリット５１２３ａ、５１２３ａに沿って下方にスライドして、伸縮機構５１が伸長するものである。
【００３５】
なお、この第三実施例においては、伸長する際に各構成要素が抜け落ちないようにするための図示しないストッパ機構が設けられているものである。
また、本発明は叙上の実施例に限定されるものではなく、例えば、案内部、スライド部及び中間案内部を構成する各部材の形状等は本発明の範囲内で適宜に変更できるものであり、本発明は上記の説明から当業者が容易に想到し得る総ての変更実施例を包摂するものである。
【００３６】
【発明の効果】
本発明に係るクレーンゲーム機は叙上の如く構成されるので、本発明によるときは、景品吊上装置に故障し易く、手入れが面倒な伸縮パイプを使用せずにすみ、コストを低く抑えることができる。
【図面の簡単な説明】
【図１】本発明に係るクレーンゲーム機の第一実施例を示す正面図である。
【図２】図１に示した景品吊上装置の構成を示す正面図である。
【図３】図２に示した伸縮機構の降下状態を示す斜視図である。
【図４】本発明に係るクレーンゲーム機の第二実施例の伸縮機構を示す正面図である。
【図５】図４に示した伸縮機構の降下状態を示す正面図である。
【図６】図５のＡ−Ａ線断面図である。
【図７】本発明に係るクレーンゲーム機の第三実施例の伸縮機構を示す正面図である。
【図８】図７に示した伸縮機構の降下状態を示す正面図である。
【図９】図８のＢ−Ｂ線断面図である。
【図１０】図８に示した伸縮機構のＣ−Ｃ線断面図である。
【符号の説明】
１・・・・・・クレーンゲーム機
１０・・・・・操作パネル
２・・・・・・水平移動装置
２０・・・・・Ｙ軸レール
２１・・・・・キャリッジ
３・・・・・・景品吊上装置
３０・・・・・ブラケット
３１・・・・・伸縮機構
３１０・・・・案内部
３１００・・・上部環状部材
３１００ａ・・フランジ
３１０１・・・案内部材
３１１・・・・スライド部
３１１０・・・下部環状部材
３１１１・・・スライド部材
３１２・・・・中間案内部
３１２０・・・上段中間環状部材
３１２１・・・接続中間環状部材
３１２２・・・下段中間環状部材
３１２３・・・上段シャフト
３１２４・・・下段シャフト
３２・・・・・ワイヤ
３３・・・・・ワイヤドラム
３４・・・・・駆動装置
３４０・・・・モーター
３４１・・・・歯車
３４２・・・・歯車
３５・・・・・開閉爪装置
４１・・・・・伸縮機構
４１０・・・・案内部
４１００・・・取付具
４１０１・・・案内部材
４１１・・・・スライド部
４１２・・・・中間案内部
４１２０・・・プレート
４１２１・・・第一ボールスライド
４１２２・・・レール
４１２３・・・第二ボールスライド
５１・・・・・伸縮機構
５１０・・・・案内部
５１００・・・取付具
５１０１・・・案内部材
５１０２・・・固定レール
５１１・・・・スライド部
５１１０・・・スライド部材
５１１１・・・下段スライドブロック
５１１２・・・取付具
５１２・・・・中間案内部
５１２０・・・上段プレート
５１２１・・・上段スライドブロック
５１２２・・・昇降レール
５１２３・・・下段プレート
５１２３ａ・・スリット
５１２４・・・中段スライドブロック
【図１】
0003731767.tif 000002
【図２】
0003731767.tif 000003
【図３】
0003731767.tif 000004
【図４】
0003731767.tif 000005
【図５】
0003731767.tif 000006
【図６】
0003731767.tif 000007
【図７】
0003731767.tif 000008
【図８】
0003731767.tif 000009
【図９】
0003731767.tif 000010
【図１０】
0003731767.tif 000011